(57)【要約】【課題】火災が発生すると、被害を最小限にとどめるためには早期発見による初期消火が最も重要であり、一部の建物にはスプリンクラー設備等が設置されている。しかしながら、スプリンクラー設備は屋内での火事の早期発見、初期消火を担うものであり、放火のように屋外から延焼するようなケースでは効果を発揮できないという問題点がある。本発明は、放火等による火災の延焼防止に有効で、設置の際の施工性に優れた散水機能を搭載した給水栓を提供する。【解決手段】給水路４０６の上流部には上方に立ち上がるスプリンクラー取付部４３２が設けられ、下流部には弁座部４１０と対面し給水路４０６の開閉を行う弁部４０９を介して、吐水口４０５を備える。スプリンクラー取付部４３２の先端部には側方を向いた閉鎖型のスプリンクラー４０３が備えられている。【選択図】  図１
2004173993.tif 000002
【特許請求の範囲】
【請求項１】
吐水口部と、前記吐水口部の上流の経路に備えられた開閉弁と、前記開閉弁を開閉するための開閉ハンドル部とから成る給水栓において、前記開閉弁の上流にスプリンクラーを備えたことを特徴とした給水栓。
【請求項２】
吐水口部と、前記吐水口部の上流の経路に備えられた開閉弁と、前記開閉弁を開閉するための開閉ハンドル部とから成る給水栓において、前記開閉弁ならびに前記開閉ハンドル部を貫通する貫通水路を設け、前記開閉ハンドル部の貫通水路末端部にスプリンクラーを備えたことを特徴とした給水栓。
【請求項３】
前記スプリンクラーは、給水栓の取り付け壁面に散水を行う壁面散水型、または前記取り付け壁面に略平行に散水を行う壁面平行散水型としたことを特徴とした請求項１、２に記載の給水栓。
【発明の詳細な説明】
【０００１】
【発明の属する技術分野】
本発明は、給水栓に関する。
【０００２】
【従来の技術】
建物火災における死者数はここ数年微増傾向にあり、高齢化社会の到来によりさらに増加することが懸念されている。また、火災の出火原因を見てみると、放火・放火の疑いによるものが約２割を占め、出火原因のトップとなっており、社会や経済が成熟していくにつれ失業率の増加等を背景にその数も増加傾向にある。
【０００３】
いざ火災が発生すると、被害を最小限にとどめるためには早期発見による初期消火が最も重要であり、一部の建物にはスプリンクラー設備等が設置されている。しかしながら、スプリンクラー設備は屋内での火事の早期発見、初期消火を担うものであり、放火のように屋外から延焼するようなケースでは効果を発揮できないという問題点がある。このような問題点を解決するために特許文献１に示されているように、屋外の雨どいの下方に散水管を設置し、延焼を防止しようとするものがある。
【０００４】
図９はこの従来の防火用散水管の設置図である。建物の屋根３０１の軒には雨どい３０３が設けられており、この雨どい３０３に支持されるように防災用散水管３０４が設けられている。この防災用散水管３０４には建物の壁面３０２に向けて多数の小穴が開けられており、防火用散水管の元弁を開くことで壁面３０２に向けて散水が行われるようになっている。
【０００５】
【特許文献１】
実開昭５８−４０１６１号公報（第１図）
【０００６】
【発明が解決しようとする課題】
しかしながら、上記した従来例においては、防火用散水管を建物の屋根の軒を一周するように設置する必要があり、次のような問題点があった。
（１）屋根の軒という高い位置に防火用散水管を設置する必要があり、施工が難しい。
（２）防火用散水管を建物の屋根を一周するように設置するため、防火用散水管の配管長が長くなり、施工に手間を要しかつコストが高くなる。
（３）屋根の雨どいのない壁面側に設置する際に防火用散水管が露出してしまい、建物の意匠を損なってしまう。
【０００７】
本発明は上記課題を解決するためになされたもので、本発明の目的は、放火等による火災の延焼防止に有効で、設置の際の施工性に優れた散水機能を搭載した給水栓を提供することにある。
【０００８】
【課題を解決するための手段】
上記目的を達成するために請求項１では、吐水口部と、前記吐水口部の上流の経路に備えられた開閉弁と、前記開閉弁を開閉するための開閉ハンドル部とから成る給水栓において、前記開閉弁の上流にスプリンクラーを備えた。
【０００９】
請求項２では、吐水口部と、前記吐水口部の上流の経路に備えられた開閉弁と、前記開閉弁を開閉するための開閉ハンドル部とから成る給水栓において、前記開閉弁ならびに前記開閉ハンドル部を貫通する貫通水路を設け、前記開閉ハンドル部の貫通水路末端部にスプリンクラーを備えた。
【００１０】
請求項３では、請求項１、２に記載の給水栓において、前記スプリンクラーは、給水栓の取り付け壁面に散水を行う壁面散水型、または前記取り付け壁面に略平行に散水を行う壁面平行散水型とした。
【００１１】
【発明の実施の形態】
以下、本発明の実施の形態を、図面により詳細に説明する。
【００１２】
図１は本発明の給水栓の第一の実施例の外観斜視図、図２はその断面図である。
【００１３】
給水栓４０１は、本体４０２と、開閉ハンドル部４０４と、吐水口４０５と、スプリンクラー取付部４３２と、スプリンクラー４０３を備えている。
【００１４】
図２を使ってその詳細を説明する。
【００１５】
給水源からの水は本体４０２右側に設けられた給水口４３３から供給される。給水路４０６の上流部には上方に立ち上がるスプリンクラー取付部４３２が設けられ、下流部には弁座部４１０と対面し給水路４０６の開閉を行う弁部４０９を介して、吐水口４０５を備える。スプリンクラー取付部４３２の先端部には側方を向いた閉鎖型のスプリンクラー４０３が備えられている。スプリンクラー４０３はスプリンクラー取付部４３２の先端部に開口した取付座４２２にパッキン４２１を介してねじ締結されている。一方、弁部４０９は、スピンドル４１９と一体成型されており、開閉ハンドル部４０４の弁ガイド部４４３のスピンドル穴４２４にスピンドル４１９が挿入されることにより保持されている。また、弁ガイド部４４３の外周を覆うように開閉ハンドル保持部４１２が設けられており、弁ガイド部４４３の外周に設けられた雄ねじ部４１３と開閉ハンドル保持部４１２の内周に設けられた雌ねじ部４１４とが勘合している。開閉ハンドル部４０４を右側に回せば、開閉ハンドル部４０４と弁部４０９が矢印Ｂ方向に移動し閉弁され、左方向に回せば開閉ハンドル部４０４が矢印Ａ方向に移動し、さらに水圧により弁部４０９も矢印Ａ方向に押され開弁するようになっている。また、開閉ハンドル保持部４１２と弁ガイド部４４３はＵパッキンまたはＯリング等のシール部材４１１でシールされている。
【００１６】
次にスプリンクラー４０３作動時の水の流れについて説明する。図５はスプリンクラー４０３の平常時の断面図、図６は、スプリンクラー４０３の作動時の断面図である。
【００１７】
本体３１は中央に導水口３７が設けられており、その左端部は弁座３８となっており、右側外周は雄ネジ３９が螺設され、左端はフランジ４０となっている。
【００１８】
フレーム３２は円筒状であり、左端はフランジ４１となっていて、右端は前述本体３１のフランジ４０に螺合している。
【００１９】
弁体３３は右部にパッキン５５が被着されていて、平常時は、本体３１の弁座３８に当接し導水口３７を閉鎖している。
【００２０】
お椀形状の散水板３４は、平常時、弁体３３の左部に当接して配置されており、作動時は、リング４２にアーム４６（図６参照）で吊設されるようになっている。
【００２１】
感熱分解部４５はフレーム３２の左部に設置されており、バランサー４３を介して弁体３３を保持している。感熱分解部４５については公知であるため、ここでは詳細な説明は省略する。
【００２２】
感熱分解部４５の左端には、お椀形状の集熱板３０ａが取り付けられており、火災時の放射熱を収集し低融点合金４４に熱を伝えるはたらきをする。
【００２３】
感熱分解部４５のカバー３６は円筒状となっており、フレーム３２に取り付けられている。カバー３６は、感熱分解部４５を隠蔽しており、カバー３６の下辺には熱気流の流入部４９が形成されている。
【００２４】
次にスプリンクラー３０の火災発生時の作動について説明する。
【００２５】
火災が発生すると、火災の異常高温で集熱板３０ａが加熱され、その熱が低融点合金４４へ伝播し、低融点合金４４が溶融すると感熱分解部４５のバランスが崩れ、感熱分解部４５が分解して感熱分解部４５を構成する全ての部品が放出される。これにより弁体３３と散水板３４が水圧により左側に押されて、導水口３７が開口し、散水を開始する。
【００２６】
導水口３７の内部を矢印Ｅの方向に流れ噴出した水は、図６に示す如く、前方の散水板３４に当たって散布される。散水板をお椀形状としているため、散水板３４に当たった水は後方（矢印Ｆ方向）へ散布され、取り付け壁面全体を広範囲にわたって濡らすことができ、放火等による延焼を防止することができる。なお、本実施例では散水板の形状をお椀形状としたが、円錐形状としても同様に取付壁面全体を広範囲にわたって濡らすことができる。また、図７に示すように散水板のお椀形状の外周近傍の湾曲率をさらに大きくしたり（散水板３４ａ）、円錐形状の先端角度をさらに大きくしたりして、取り付け壁面に略平行（矢印Ｇ方向）に散水するようにしても放火等による延焼を防止することができる。
【００２７】
図３は本発明の給水栓の第二の実施例の外観斜視図、図４はその断面図である。
【００２８】
給水栓５０１は、本体５０２と、開閉ハンドル部５０４と、吐水口４０５と、開閉ハンドル部５０４の先端部に取付けられたスプリンクラー４０３を備えている。
【００２９】
図４を使ってその詳細を説明する。
【００３０】
給水源からの水は本体５０２右側に設けられた給水口５３３から供給される。給水路５０６の下流部には弁座部５１０と対面し給水路５０６の開閉を行う弁部５０９を介して、吐水口４０５を備える。弁部５０９は、スピンドル５１９と一体成型されており、開閉ハンドル部５０４の弁ガイド部５４３のスピンドル穴５２４にスピンドル５１９が挿入されることにより保持されている。また、弁ガイド部５４３の外周を覆うように開閉ハンドル保持部５１２が設けられており、弁ガイド部５４３の外周に設けられた雄ねじ部５１３と開閉ハンドル保持部５１２の内周に設けられた雌ねじ部５１４とが勘合している。開閉ハンドル部５０４を右側に回せば、開閉ハンドル部５０４と弁部５０９が矢印Ｄ方向に移動し閉弁され、左方向に回せば開閉ハンドル部５０４が矢印Ｃ方向に移動し、さらに水圧により弁部５０９も矢印Ｃ方向に押され開弁するようになっている。また、開閉ハンドル保持部５１２と弁ガイド部５４３はＵパッキンまたはＯリング等のシール部材４１１でシールされている。スプリンクラー４０３は開閉ハンドル部５０４の左端にパッキン４２１を介してねじ締結されている。弁部５０９、スピンドル５１９には貫通穴５２５が設けられており、その左側の弁ガイド部５４３にも貫通穴５２５と通ずる第二の貫通穴５２６が設けられており、スプリンクラー４０３作動時に給水源からの水をスプリンクラー４０３に送るための水路となっている。なお、スピンドル５１９の外周には、貫通穴５２５から吐水口への漏れを遮断するためのＯリング等のシール部材５２７が設けられている。
【００３１】
図８は、本発明の給水栓を戸建て住宅に設置した図である。
【００３２】
給水源から供給される水は給水本管から分岐した配水管１０１、水道メーター１０２、元バルブ１０３、配水管１０４を経て、分岐ヘッダー１０５に供給される。分岐ヘッダー１０５は戸建て住宅の基礎部２０３と床部２０６の間に設置されている。分岐ヘッダー１０５の下流で配水管は６つの経路に分岐されている。分岐管５ａは給水栓４０１へ、分岐管５ｂは給水栓５０１へ、分岐管１０６は浴室水栓へ、分岐管１０７は洗面所水栓へ、分岐管１０８は台所水栓へ、分岐管１０９はトイレ便器へとそれぞれ接続されている。また、給水栓４０１、５０１は取り付け壁面２０２に設置されており、火災によりスプリンクラー４０３が作動すると取り付け壁面２０２へ向けて散水が開始される。
【発明の効果】
【００３３】
以上より、本発明によれば次の効果を有することができる。
【００３４】
請求項１では、吐水口部と、前記吐水口部の上流の経路に備えられた開閉弁と、前記開閉弁を開閉するための開閉ハンドル部とから成る給水栓において、前記開閉弁の上流にスプリンクラーを備えた。
【００３５】
よって、給水栓までの配管とスプリンクラーまでの配管を共通にすることができ、わざわざスプリンクラー用の配管を別に設置する必要がなく施工性に優れかつスプリンクラーが給水栓に組み込まれているため、建物の意匠を損なうことがない。さらに、給水栓を開けて前記吐水口から水を吐水させることで火災時しか使用されないスプリンクラーまでの配管の停滞水もなくすことができる。
【００３６】
請求項２では、吐水口部と、前記吐水口部の上流の経路に備えられた開閉弁と、前記開閉弁を開閉するための開閉ハンドル部とから成る給水栓において、前記開閉弁ならびに前記開閉ハンドル部を貫通する貫通水路を設け、前記開閉ハンドル部の貫通水路末端部にスプリンクラーを備えた。
【００３７】
よって、前述の請求口１の効果に加え、給水栓の形状をコンパクトにすることができる。
【００３８】
請求項３では、請求項１、２に記載の給水栓において、前記スプリンクラーは、給水栓の取り付け壁面に散水を行う壁面散水型、または前記取り付け壁面に略平行に散水を行う壁面平行散水型とした。
【００３９】
よって、スプリンクラー作動時に給水栓の取り付け壁面全体を濡らす、または、取り付け壁面へ略平行に散水することにより放火等による火災の建物への延焼を防止することができる。
【図面の簡単な説明】
【図１】本発明の給水栓の第一の実施例の外観斜視図
【図２】本発明の給水栓の第一の実施例の断面図
【図３】本発明の給水栓の第二の実施例の外観斜視図
【図４】本発明の給水栓の第二の実施例の断面図
【図５】本発明に係わるスプリンクラー４０３の平時の断面図
【図６】本発明に係わるスプリンクラー４０３の作動時の断面図
【図７】本発明に係わる散水板形状を変更したスプリンクラー４０３の作動時の断面図
【図８】本発明の給水栓を戸建て住宅に設置した図
【図９】従来の防火散水管の設置図
【符号の説明】
５ａ、５ｂ…分岐管
３０ａ…集熱板
３１…スプリンクラー本体
３２…フレーム
３３…弁体
３４…散水板
３４ａ…散水板
３４ｂ…散水板
３６…カバー
３７…導水口
３８…弁座
３９…牡ネジ
４０、４１…フランジ
４２…リング
４６…アーム
４３…バランサー
４４…低融点合金
４５…感熱分解部
４９…流入部
５５…パッキン
１０１…配水管
１０２…水道メーター
１０３…元バルブ
１０４…配水管
１０５…分岐ヘッダー
１０６、１０７、１０８、１０９…分岐管
２０２…取付け壁面
２０３…基礎部
２０６…床部
３０３…雨どい
３０４…防災用散水管
４０１…給水栓
４０２…本体
４０３…スプリンクラー
４０４…開閉ハンドル部
４０５…吐水口
４０６…給水路
４０９…弁部
４１０…弁座部
４１１…シール部材
４１２…開閉ハンドル保持部
４１３…雄ねじ部
４１４…雌ねじ部
４１９…スピンドル
４２１…パッキン
４２２…取付座
４２４…スピンドル穴
４３２…スプリンクラー取付部
４３３…給水口
４４３…弁ガイド部
５０２…本体
５０４…開閉ハンドル部
５０９…弁部
５１０…弁座部
５１２…開閉ハンドル保持部
５１３…雄ねじ部
５１４…雌ねじ部
５１９…スピンドル
５２４…スピンドル穴
５２５…貫通穴
５２６…第二の貫通穴
５２７…シール部材
５３３…給水口
５４３…弁ガイド部
【図１】
2004173993.tif 000003
【図２】
2004173993.tif 000004
【図３】
2004173993.tif 000005
【図４】
2004173993.tif 000006
【図５】
2004173993.tif 000007
【図６】
2004173993.tif 000008
【図７】
2004173993.tif 000009
【図８】
2004173993.tif 000010
【図９】
2004173993.tif 000011